(57)【特許請求の範囲】
【請求項１】
建物上層階の床構成部材（１）に吊り下げ支持した複数の野縁受け（１２・・）と、これら野縁受け（１２・・）に対して略直交するように、野縁受け（１２・・）の下側に取り付けた複数の野縁（１３・・）と、これら野縁（１３・・）の下側に取り付けた天井板（１６・・）とを備え、一部又は全部の野縁（１３・・）に対して、その長さ方向に沿って長尺の補強金具（６０・・）を着脱可能に取り付けるとともに、それら補強金具（６０・・）における長さ方向に間隔をあけた複数箇所に、重量床衝撃音低減用のダイナミックダンパー（７０・・）を装着したことを特徴とする建物の天井構造。
【請求項２】
前記補強金具（６０）は、前記野縁（１３）を左右両側から挟み込む一対の側面部（６１）（６１）と、これら側面部（６１）（６１）の上端間を連結する上面部（６２）とを備え、前記一対の側面部（６１）（６１）に、前記ダイナミックダンパー（７０・・）を夫々装着した請求項１記載の建物の天井構造。
【請求項３】
前記補強金具（６０）における一方の側面部（６１）に装着したダイナミックダンパー（７０・・）と、他方の側面部（６１）に装着したダイナミックダンパー（７０・・）とを、前記野縁（１３）を挟んで左右対称となるように配置した請求項２記載の建物の天井構造。
【請求項４】
前記ダイナミックダンパー（７０）は、質量体（７１）と弾性体（７２）とを組み合わせてなり、このダイナミックダンパー（７０）を、前記弾性体（７２）によって前記質量体（７１）を弾性支持するようにして、前記野縁（１３）の高さ寸法内に収まるように水平方向に張り出した状態で配置した請求項２又は３記載の建物の天井構造。
【請求項５】
前記補強金具（６０）を、前記野縁受け（１２・・）と野縁（１３・・）との各交差部を回避して取り付けた請求項１乃至４のいずれかに記載の建物の天井構造。
【発明の詳細な説明】
【技術分野】
【０００１】
この発明は、例えば住宅やマンション等の建物の天井構造に関する。
【背景技術】
【０００２】
本発明者らは、例えば軽量鉄骨系プレハブ住宅における上層階から下層階へ伝搬する重量床衝撃音を低減するための対策として、上層階の床構成部材に支持された下層階の天井下地材に、複数の重量床衝撃音低減用のダイナミックダンパーを分散配置させるといった遮音対策を提案している（例えば、特許文献１及び特許文献２参照）。このような遮音対策を講じることで、例えば床パネルの重量を重くするといった一般的な遮音対策に比べて、構造躯体に大きな負荷をかけることなく、重量床衝撃音を低減することができる。
【０００３】
具体的に、天井下地材は、上層階の床梁等に吊り具を介して吊り下げ支持した複数の野縁受けと、これら野縁受けに対して略直交するように、野縁受けの下側に取り付けた複数の野縁とを備え、これら野縁の下側には天井板が取り付けられている。そして、特許文献１に記載の遮音対策においては、野縁に対してダイナミックダンパーを装着しており、特許文献２に記載の遮音対策においては、野縁受けに対してダイナミックダンパーを装着している。
【先行技術文献】
【特許文献】
【０００４】
【特許文献１】特開２００６−７７５１７号公報
【特許文献２】特開２００６−３４２５８０号公報
【発明の概要】
【発明が解決しようとする課題】
【０００５】
一般に、軽量鉄骨系プレハブ住宅の天井下地材に用いられる野縁は、断面略ロ字状の鋼製筒材からなり、天井板のビス止めを容易にするために、その肉厚が比較的薄肉となっている。また、野縁受けは、断面略コ字状の溝形鋼からなり、天井荷重を支えるために、その肉厚が比較的厚肉となっていて、野縁よりも剛性が高くなっているが、野縁に比べて配置本数が極端に少なくなっている。
【０００６】
ダイナミックダンパーは、質量体と弾性体とを組み合わせた構造となっていて、弾性体によって質量体を弾性支持するようにして装着されている。そして、上層階の床部で重量床衝撃音を伴う振動が発生すると、これに応じてダイナミックダンパーの質量体が振動することによって、天井板へ伝搬される重量床衝撃音を伴う振動を減衰して、重量床衝撃音が低減されるようになっている。ダイナミックダンパーの質量体の振動（ダイナミックダンパーの反力）を効率良く天井板に伝えて、重量床衝撃音を伴う振動を効果的に減衰するためには、ダイナミックダンパーを剛性の高い部材に装着する必要がある。
【０００７】
このため、剛性があまり高くない野縁に対してダイナミックダンパーを装着する場合には、ダイナミックダンパーの反力の伝達効率が低下して、遮音性能を高めることが難しくなるといった不具合があった。
【０００８】
特許文献１に記載の遮音対策では、野縁に対してダイナミックダンパーを装着するにあたって、短尺の取付金具を野縁に嵌合させており、これによってダイナミックダンパーの装着部位の剛性が高められているが、ダイナミックダンパーの反力は、取付金具を介して野縁に局部的に集中して伝わることから、野縁の変形を招き易くなって、ダイナミックダンパーの反力の伝達効率を格段に向上させるまでには至らず、依然として遮音性能を安定して高めることが困難であった。
【０００９】
一方、特許文献２に記載の遮音対策では、天井下地材全体の剛性を高めるとともに、ダイナミックダンパーの装着部位を増やして、ダイナミックダンパーを天井下地材全体に亘って分散配置するために、上層階の床梁等に吊り具を介して吊り下げ支持された野縁受けとは別に、吊り下げ支持されない複数の野縁受けを取り付けて、これら野縁受けに対してダイナミックダンパーを装着している。このため、ダイナミックダンパーの反力の伝達効率が格段に向上して、遮音性能を安定して高めることができる。
【００１０】
しかしながら、この場合、吊り下げ支持されない複数の野縁受けが別途必要とるだけでなく、これら野縁受けと野縁とを連結するための連結金具も数多く必要とすることから、施工費が増大するといった不具合があった。
【００１１】
この発明は、上記の不具合を解消して、施工費の低減を図りながらも、遮音性能を安定して高めることができる建物の天井構造の提供を目的とする。
【課題を解決するための手段】
【００１２】
上記課題を解決するため、この発明の建物の天井構造は、建物上層階の床構成部材１に吊り下げ支持した複数の野縁受け１２・・と、これら野縁受け１２・・に対して略直交するように、野縁受け１２・・の下側に取り付けた複数の野縁１３・・と、これら野縁１３・・の下側に取り付けた天井板１６・・とを備え、一部又は全部の野縁１３・・に対して、その長さ方向に沿って長尺の補強金具６０・・を着脱可能に取り付けるとともに、それら補強金具６０・・における長さ方向に間隔をあけた複数箇所に、重量床衝撃音低減用のダイナミックダンパー７０・・を装着したことを特徴とする。
【００１３】
具体的に、前記補強金具６０は、前記野縁１３を左右両側から挟み込む一対の側面部６１、６１と、これら側面部６１、６１の上端間を連結する上面部６２とを備え、前記一対の側面部６１、６１に、前記ダイナミックダンパー７０・・を夫々装着している。
【００１４】
また、前記補強金具６０における一方の側面部６１に装着したダイナミックダンパー７０・・と、他方の側面部６１に装着したダイナミックダンパー７０・・とを、前記野縁１３を挟んで左右対称となるように配置している。
【００１５】
さらに、前記ダイナミックダンパー７０は、質量体７１と弾性体７２とを組み合わせてなり、このダイナミックダンパー７０を、前記弾性体７２によって前記質量体７１を弾性支持するようにして、前記野縁１３の高さ寸法内に収まるように水平方向に張り出した状態で配置している。
【００１６】
さらにまた、前記補強金具６０を、前記野縁受け１２・・と野縁１３・・との各交差部を回避して取り付けている。
【発明の効果】
【００１７】
この発明の天井構造においては、上層階の床部での重量床衝撃音を伴う振動の発生に応じて、ダイナミックダンパーの質量体が振動すると、この質量体の振動（ダイナミックダンパーの反力）は、長尺な補強金具を介して長さ方向に分散された状態で、野縁全体に満遍なく伝わることになる。これにより、野縁の変形を極力抑えて、ダイナミックダンパーの反力を天井板に効率良く伝えることができ、重量床衝撃音の遮音性能を安定して高めることができる。しかも、このような遮音対策を施すにあたって、ダイナミックダンパー以外に補強金具を必要とするだけで、野縁受けを増設してダイナミックダンパーを装着する場合のような部品点数の大幅な増加を招くことがなく、施工費の低減を図ることができる。
【００１８】
また、補強金具の両方の側面部に、ダイナミックダンパーを装着しているので、野縁の左右両側においてダイナミックダンパーをバランス良く作用させることができる。特に、野縁を挟んで左右対称となるようにダイナミックダンパーを配置することで、野縁の左右両側においてダイナミックダンパーを均等に作用させることができる。これにより、ダイナミックダンパーの反力の伝達効率をより一層向上させて、重量床衝撃音の遮音性能を安定して高めることができる。
【００１９】
さらに、ダイナミックダンパーを、野縁の高さ寸法内に収まるように水平方向に張り出した状態で配置しているので、床下空間における配管や断熱材、吸音材等の施工に際して、ダイナミックダンパーが邪魔になり難く、施工性の向上を図ることができる。
【００２０】
さらにまた、補強金具を、野縁受けと野縁との各交差部を回避して取り付けるようにしているので、野縁受けに干渉することなく、補強金具を野縁に対して簡単に着脱させることができる。これにより、補強金具の取付本数を変更して、ダイナミックダンパーの設置個数を増減させるといった遮音性能の調整作業を容易に行うことができる。また、既設の天井部に対して、遮音対策を簡単に施すことができる。
【図面の簡単な説明】
【００２１】
【図１】この発明の一実施形態に係る天井構造を採用した建物の床・天井構造の一部破断斜視図である。
【図２】同じくその要部縦断面図である。
【図３】床パネルの斜視図である。
【図４】天井構造の要部斜視図である。
【図５】天井構造の概略平面図である。
【図６】防振吊り具の側面図である。
【図７】防振吊り具の防振ゴム付近の正面図である。
【図８】野縁受けと野縁の交差部付近の分解斜視図である。
【図９】野縁及び壁際野縁の端部付近の縦断面図である。
【図１０】野縁のダンパー装着部分の分解斜視図である。
【図１１】野縁のダンパー装着部分の縦断面図である。
【図１２】ダイナミックダンパーの他の配置例を示す概略平面図である。
【図１３】ダイナミックダンパーの別の配置例を示す概略平面図である。
【図１４】ダイナミックダンパーのさらに別の配置例を示す概略平面図である。
【図１５】重量床衝撃音の遮断性能試験の結果を示す図である。
【図１６】軽量床衝撃音の遮断性能試験の結果を示す図である。
【発明を実施するための形態】
【００２２】
以下、この発明の実施形態を図面に基づいて詳細に説明する。図１及び図２は、この発明の一実施形態に係る天井構造を採用した床・天井構造を示している。この床・天井構造は、例えば軽量鉄骨系のプレハブ住宅に適用されており、建物上層階の床構成部材１に下層階の天井下地材１０が支持されている。
【００２３】
床構成部材１は、例えばＨ形鋼からなる床梁２・・と、これら床梁２・・上に敷設した複数の床パネル３・・とを備えている。床パネル３は、図３に示すように、押出成形セメント板４の互いに略平行な複数の中空部４ａ・・の要所要所に、袋詰めした砂状無機材５・・を微動可能に充填してなり、その面密度が１００〜１２０ｋｇ／ｍ２（好ましくは、１２０ｋｇ／ｍ２）であって、その厚みが１００ｍｍ程度とされている。
【００２４】
この床パネル３においては、高い剛性を有するとともに、重量床衝撃音や軽量床衝撃音を伴う振動を砂状無機材５・・の微動により打ち消す効果を有していて、一般的なＡＬＣからなる床パネル（面密度が６５ｋｇ／ｍ２、厚みが１００ｍｍ）と比べて、重量床衝撃音及び軽量床衝撃音の遮音性能を５ｄＢ程度向上することができ、しかも重量については２倍以下、厚みについては略同等に抑えられている。なお、この床パネル３は、床梁２の上フランジ２ａ上に止め付け金具６によって止め付けられている。また、床パネル３・・上には、防湿シート７、パーティクルボード８、フローリング等の床仕上げ材９が順次敷設されている。
【００２５】
天井下地材１０は、図１、図４及び図５に示すように、上層階の床梁２・・に複数の軽量床衝撃音低減用の防振吊り具１１・・を介して吊り下げ支持されて、互いに略平行に配された複数の野縁受け１２・・と、これら野縁受け１２・・に対して略直交するように、野縁受け１２・・の下側に取り付けられて、互いに略平行に配された複数の野縁１３・・と、これら野縁１３・・と同じ高さレベルで、野縁１３・・と平行になるように建物内壁１４に固定された複数の壁際野縁１５・・とを備えている。そして、野縁１３・・及び壁際野縁１５・・の下側に、石膏ボード等からなる天井板１６・・がビス止めされている。なお、天井下地材１０の上側には、図１に示すように、吸音材１７が適宜設けられている。
【００２６】
防振吊り具１１は、図４、図６及び図７に示すように、床梁２に装着される梁装着部材２０と、この梁装着部材２０に取り付けられた圧縮型の防振ゴム２１と、この防振ゴム２１に貫通支持されて、野縁受け１２に連結される吊りボルト２２とを備えている。
【００２７】
梁装着部材２０は、一対の側面部２５、２５と、これら側面部２５、２５の下端部間を連結する底面部２６とによって、開放部分が上向きとなった略コ字状に形成されている。そして、一対の側面部２５、２５が床梁２に係合する係合部とされ、その底面部２６が防振ゴム２１を装着する装着部とされている。
【００２８】
側面部２５、２５には、嵌合溝２５ａ、２５ａが横向きに夫々形成されており、これら嵌合溝２５ａ、２５ａに床梁２の下フランジ２ｂを嵌め込むようにして、側面部２５、２５が床梁２に係合される。そして、この係合状態において、底面部２６にねじ込んだ固定ボルト２７の先端を下フランジ２ｂの下面に押し付けることで、梁装着部材２０が床梁２に装着されるようになっている。
【００２９】
防振ゴム２１は、略中央部を括れさせた略円筒状のゴム体を上下の鋼製プレートによって挟み込んだ構造となっていて、梁装着部材２０の側面部２５、２５間において底面部２６上から立ち上がるようにして装着されている。
【００３０】
吊りボルト２２は、その上端部にカシメナット２８が螺合された状態で、防振ゴム２１及び梁装着部材２０の底面部２６を上下方向に貫通している。なお、カシメナット２８は、防振ゴム２１の上側プレートに回転可能に係合されるようになっている。
【００３１】
そして、吊りボルト２２の下端部は、後述する野縁受け１２の上側フランジ３０を上下方向に貫通している。この吊りボルト２２の下端部には、上下一対のナット２９、２９が螺合され、これらナット２９、２９を締め付けて野縁受け１２の上側フランジ３０を挟み込むことで、吊りボルト２２の下端部に野縁受け１２が取り付けられている。このように、軽量床衝撃音低減用の複数の防振吊り具１１・・を使用して天井下地材１０（野縁受け１２・・）を吊り下げ支持することで、単なる吊り具を使用して吊り下げ支持するときと比べて、軽量床衝撃音の遮断性能を５ｄＢ程度向上することができるようになっている。
【００３２】
野縁受け１２は、図６及び図８に示すように、例えば開放部分を側方へ向けるように配置された断面略コ字状の溝形鋼からなり、上下一対のフランジ３０、３０と、それらフランジ３０、３０の長手方向に沿った一端部同士を連結するウエブ３１とを備えている。
【００３３】
野縁１３は、図６及び図８に示すように、例えば断面略ロ字状の鋼製筒材からなり、その側面片４０、４０にはその長手方向に沿って係止溝４１、４１が夫々形成されている。この野縁１３は、複数の連結具５０・・を介して野縁受け１２・・の下側に跨って取り付けられている。
【００３４】
連結具５０は、図６及び図８に示すように、一対の側面部５１、５１と、これら側面部５１、５１の上端部間を連結する上面部５２とによって、開放部分が下向きとなった略コ字状に形成されている。そして、上面部５２には、一対の係合片５３、５３が形成されており、側面部５１、５１には、係止爪５４、５４が夫々形成されている。
【００３５】
この連結具５０は、係合片５３、５３を野縁受け１２の下側フランジ３０に係合させることで、野縁受け１２に取り付けられている。また、連結具５０の側面部５１、５１間に野縁１３の上部を差し入れて、係止爪５４、５４を野縁１３の係止溝４１、４１に係合させることで、野縁１３が支持されている。
【００３６】
また、野縁１３・・及び壁際野縁１５・・の端部は、図５及び図９に示すように、野縁１３・・及び壁際野縁１５・・に対して略直交するように、建物内壁１４にビス４５・・止めされた断面略コ字状の溝形鋼からなるランナー４６に固定されている。具体的には、ランナー４６の室内側に開放する溝部に、野縁１３・・及び壁際野縁１５・・の端部が差し込まれた状態で、ランナー４６に野縁１３・・及び壁際野縁１５・・の端部がビス４７・・止めされている。
【００３７】
このようにして構成された天井下地材１０においては、野縁１３・・に対して、その長さ方向に沿って長尺の補強金具６０・・が着脱可能に夫々取り付けられている。補強金具６０は、図４、図１０及び図１１に示すように、一対の側面部６１、６１と、これら側面部６１、６１の上端部間を連結する上面部６２とによって、開放部分が下向きとなった断面略コ字状に形成されている。この補強金具６０においては、その長さが例えば約１０００ｍｍ以上で、且つ、野縁受け１２・・間の配置間隔（例えば約２０００ｍｍ）よりも短くなっており、その肉厚が例えば約１．６ｍｍで、野縁１３・・の肉厚（例えば約０．４ｍｍ）の３倍以上に設定されている。また、側面部６１、６１には、その長さ方向に間隔をあけて複数のリベット挿通用孔６１ａ・・が夫々形成され、さらにリベット挿通用孔６１ａ・・を回避するようにして、長さ方向に間隔をあけて複数の係止爪６３・・が夫々形成されている。なお、係止爪６３・・は、側面部６１、６１に切り込みを入れて、その切り込み箇所を内向きに押し込むことによって形成されている。
【００３８】
この補強金具６０は、その側面部６１、６１によって野縁１３を左右両側から挟み込むようにして、野縁１３の上半分程度を覆うように上方から被せて、係止爪６３・・を野縁１３の係止溝４１、４１に係合させることで、野縁１３に取り付けられている。これにより、野縁１３と補強金具６０とが一体化して、薄肉で強度的に弱い野縁１３の剛性が高められた状態となっている。また、すべての補強金具６０・・は、図１及び図５に示すように、野縁受け１２・・と野縁１３・・との各交差部すなわち連結具５０・・による連結部位を回避するように取り付けられている。このため、天井下地材１０を組み付けた状態のままで、野縁受け１２・・に干渉することなく、補強金具６０・・を野縁１３・・に対して簡単に着脱させることができるようになっている。
【００３９】
そして、補強金具６０の両方の側面部６１、６１には、その長さ方向に間隔をあけた複数箇所に、例えば６３Ｈｚ帯域の振動に同調して振動する重量床衝撃音低減用のダイナミックダンパー７０・・が装着されている。なお、実際の施工に際しては、工場等において、ダイナミックダンパー７０・・を補強金具６０・・に予め装着した状態で現場へ搬入して、それらダイナミックダンパー７０・・付きの補強金具６０・・を野縁１３・・に取り付けることで、施工性の向上を図るようにしている。
【００４０】
ダイナミックダンパー７０は、図１０に示すように、略直方体状に形成された例えば金属製の質量体７１と、この質量体７１よりも一回り小さな略直方体状に形成された例えば合成ゴム製の弾性体７２とを接着一体化してなり、弾性体７２における質量体７１側とは反対側の側面には、一対のリベット挿通用孔７３ａ、７３ａを有する金属製の装着板７３が取り付けられている。
【００４１】
そして、ダイナミックダンパー７０は、その装着板７３を補強金具６０の側面部６１に当接させて、互いに一致するリベット挿通用孔６１ａ、７３ａ・・に挿通したリベット７５、７５により装着板７３を側面部６１にカシメ固定することで、弾性体７２によって質量体７１を弾性支持するようにして、補強金具６０に装着されている。この装着状態において、図１１に示すように、ダイナミックダンパー７０は、野縁１３の高さ寸法内に収まるように水平方向に張り出した状態で配置されている。これにより、床下空間における配管や断熱材、吸音材１７等の施工に際して、ダイナミックダンパー７０が邪魔になり難くなっている。なお、ダイナミックダンパー７０と天井板１６との間には、天井板１６の上面に補強用の下地合板を追加的に張り付けることができるように、例えば約１５ｍｍの隙間が確保されている。
【００４２】
補強金具６０における一方の側面部６１に装着したダイナミックダンパー７０・・と、他方の側面部６１に装着したダイナミックダンパー７０・・とは、野縁１３を挟んで左右対称となるように配置されていて、図５に示すように、補強金具６０の長さ方向に隣り合うダイナミックダンパー７０・・の間隔Ｌ１が例えば約６６６ｍｍとされている。また、野縁１３・・は、図５に示すように、例えば約３３３ｍｍの間隔Ｌ２をあけて同一平面上に配置されている。そして、ダイナミックダンパー７０の１個当たりの重量は、２００〜３００ｇとされている。これにより、天井下地材１０においては、その１ｍ２当たり（平面から見て１ｍ四方の範囲内）のダイナミックダンパー７０・・の総重量が、例えば２〜４ｋｇ（好ましくは、３ｋｇ）に設定されており、ダイナミックダンパーを設けていない天井下地材を採用するときと比べて、重量床衝撃音の遮断性能を５ｄＢ程度向上することができるようになっている。
【００４３】
ダイナミックダンパー７０・・の配置については、上記に限定されるものではなく、例えば図１２〜図１４に示すように配置しても良い。図１２においては、補強金具６０における一方の側面部６１に装着したダイナミックダンパー７０・・と、他方の側面部６１に装着したダイナミックダンパー７０・・とは、野縁１３を挟んで千鳥状に配置されていて、補強金具６０の長さ方向に隣り合うダイナミックダンパー７０・・の間隔Ｌ１ａが例えば約６６６ｍｍとされている。
【００４４】
図１３においては、補強金具６０における一方の側面部６１に装着したダイナミックダンパー７０・・と、他方の側面部６１に装着したダイナミックダンパー７０・・とは、野縁１３を挟んで左右対称となるように配置されていて、補強金具６０の長さ方向に隣り合うダイナミックダンパー７０・・の間隔Ｌ１ｂが例えば約３３３ｍｍとされている。また、図１４においては、補強金具６０における一方の側面部６１に装着したダイナミックダンパー７０・・と、他方の側面部６１に装着したダイナミックダンパー７０・・とは、野縁１３を挟んで千鳥状に配置されていて、補強金具６０の長さ方向に隣り合うダイナミックダンパー７０・・の間隔Ｌ１ｃが例えば約３３３ｍｍとされている。これらの場合、ダイナミックダンパー７０・・を設けた野縁１３と、ダイナミックダンパー７０・・を設けない野縁１３を交互に配置しても、天井下地材１０の１ｍ２当たり（平面から見て１ｍ四方の範囲内）のダイナミックダンパー７０・・の総重量を例えば２〜４ｋｇ（好ましくは、３ｋｇ）に設定することができ、従って全部の野縁１３に対して補強金具６０・・を取り付けなくても、少なくとも半分程度の野縁１３・・に補強金具６０・・を取り付けるだけ済み、補強金具６０・・の使用本数を半減することができる。
【００４５】
上記構成の床・天井構造においては、野縁１３・・に対して、その長さ方向に沿って剛性の高い長尺の補強金具６０・・が取り付けられて、それら補強金具６０・・における長さ方向に間隔をあけた複数箇所に、ダイナミックダンパー７０・・が装着されている。このため、上層階の床部で重量床衝撃音を伴う振動が発生して、これに応じてダイナミックダンパー７０・・の質量体７１・・が振動すると、この質量体７１・・の振動（ダイナミックダンパー７０・・の反力）は、補強金具６０・・を介して長さ方向に分散された状態で、野縁１３・・全体に満遍なく伝わることになる。これにより、剛性があまり高くない野縁１３・・の変形を極力抑えて、ダイナミックダンパー７０・・の反力を天井板１６・・に効率良く伝えることができ、重量床衝撃音の遮音性能を安定して高めることができる。しかも、このような遮音対策を施すにあたって、ダイナミックダンパー７０・・以外に補強金具６０・・を必要とするだけで、野縁受けを増設してダイナミックダンパーを装着する場合のような部品点数の大幅な増加を招くことがなく、施工費の低減を図ることができる。
【００４６】
しかも、補強金具６０の両方の側面部６１、６１に、ダイナミックダンパー７０・・が装着されているので、野縁１３の左右両側においてダイナミックダンパー７０・・をバランス良く作用させることができ（特に、野縁１３を挟んで左右対称となるようにダイナミックダンパー７０・・を配置することで、野縁１３の左右両側においてダイナミックダンパー７０・・を均等に作用させることができ）、ダイナミックダンパー７０・・の反力を天井板１６・・へスムーズに伝達することができる。これにより、ダイナミックダンパー７０・・の反力の伝達効率をより一層向上させて、重量床衝撃音の遮音性能を安定して高めることができる。
【００４７】
さらに、上記構成の床・天井構造においては、上記のようなダイナミックダンパー７０・・の分散配置とともに、遮音性能の高い床パネル３・・及び軽量床衝撃音低減用の防振吊り具１１・・を使用した複合的な遮音対策を講じている。これにより、重量床衝撃音及び軽量床衝撃音の遮音性能をそれぞれ１０ｄＢ向上して、床衝撃音の遮音等級Ｌ−５５（重量床衝撃音の遮音等級ＬＨ−５５、軽量床衝撃音の遮音等級ＬＬ−５５）を実現することができる。
【００４８】
図１５は、以下に示す実施例及び比較例１〜３の床・天井構造に対して、重量床衝撃音の遮断性能試験（子供の飛び跳ね等による重量音を想定したバングマシン等を使用した試験）を実施したときの試験結果を示し、図１６は、実施例及び比較例１〜３の床・天井構造に対して、軽量床衝撃音の遮断性能試験（スリッパのパタパタ音や軽量物を落とした音を想定したタッピングマシン等を使用した試験）を実施したときの試験結果を示している。
【００４９】
実施例の床・天井構造は、面密度１２０ｋｇ／ｍ２の床パネル３・・（以下、「高遮音床パネル」と称する。）を使用するとともに、防振吊り具１１・・によって吊り下げ支持した天井下地材１０において複数のダイナミックダンパー７０・・を１ｍ２当たり３ｋｇで分散配置した構造（以下、「高遮音天井下地」と称する。）となっている。比較例１の床・天井構造は、面密度６５ｋｇ／ｍ２のＡＬＣからなる床パネル（以下、「ＡＬＣ床パネル」と称する。）を使用するとともに、ダイナミックダンパーを設けていない天井下地材を単なる吊り具によって吊り下げ支持した構造（以下、「一般天井下地」と称する。）となっている。比較例２の床・天井構造は、「ＡＬＣ床パネル」及び「高遮音天井下地」を採用した構造となっている。比較例３の床・天井構造は、「高遮音床パネル」及び「一般天井下地」を採用した構造となっている。
【００５０】
重量床衝撃音の遮断性能試験において、図１５に示すように、比較例１ではＬＨ−６５、比較例２ではＬＨ−６０、比較例３ではＬＨ−６０、実施例ではＬＨ−５５であった。また、軽量床衝撃音の遮断性能試験においては、図１６に示すように、比較例１ではＬＬ−６５、比較例２ではＬＬ−６０、比較例３ではＬＬ−６０、実施例ではＬＬ−５５であった。これにより、実施例においては、比較例２及び３と比べると、重量床衝撃音及び軽量床衝撃音の遮断性能がそれぞれ５ｄＢ程度向上し、比較例１と比べると、重量床衝撃音及び軽量床衝撃音の遮断性能がそれぞれ１０ｄＢ程度向上しており、高い遮音性能を有することが判った。
【００５１】
以上に、この発明の実施形態について説明したが、この発明は、上記実施形態に限定されるものではなく、この発明の範囲内で種々変更して実施することが可能である。例えば、この発明の天井構造は、また、軽量鉄骨系のプレハブ住宅だけでなく、木造住宅やＲＣ造の建物に適用しても良い。
【符号の説明】
【００５２】
１・・床構成部材、１２・・野縁受け、１３・・野縁、１６・・天井板、６０・・補強金具、６１・・側面部、６２・・上面部、７０・・ダイナミックダンパー、７１・・質量体、７２・・弾性体
【図１】
0005582094.tif 000002
【図２】
0005582094.tif 000003
【図３】
0005582094.tif 000004
【図４】
0005582094.tif 000005
【図５】
0005582094.tif 000006
【図６】
0005582094.tif 000007
【図７】
0005582094.tif 000008
【図８】
0005582094.tif 000009
【図９】
0005582094.tif 000010
【図１０】
0005582094.tif 000011
【図１１】
0005582094.tif 000012
【図１２】
0005582094.tif 000013
【図１３】
0005582094.tif 000014
【図１４】
0005582094.tif 000015
【図１５】
0005582094.tif 000016
【図１６】
0005582094.tif 000017